(57)【特許請求の範囲】
【請求項１】
ローカルエリアネットワークに属する撮像装置と、当該ローカルエリアネットワーク以外のネットワークに属しテレビ電話機能を有する携帯電話端末と、それぞれ通信可能に構成されたサーバであって、
前記携帯電話端末の識別情報と前記撮像装置の識別情報とを対応付けて記憶する第１の記憶手段と、
前記撮像装置の識別情報とＩＰアドレスとポート番号とを対応付けて記憶する第２の記憶手段と、
前記撮像装置から定期的に送信される当該撮像装置の識別情報とＩＰアドレスとポート番号とを受信して、前記第２の記憶手段の対応する情報を登録更新する更新手段と、
前記携帯電話端末からのテレビ電話の発信を受け付けると、当該携帯電話端末の識別情報に対応する前記撮像装置の識別情報を前記第１の記憶手段から抽出する第１の抽出手段と、
前記第１の抽出手段が抽出した撮像装置の識別情報に対応するＩＰアドレス及びポート番号を前記第２の記憶手段から抽出する第２の抽出手段と、
前記第２の抽出手段が抽出したＩＰアドレス及びポート番号に基づいて、前記撮像装置にテレビ電話の発信を転送する転送手段と、
前記転送手段により転送されたテレビ電話の発信に対応して、前記撮像装置から送信される前記撮像装置が撮像した動画音声データを受信する手段と、
前記受信した前記動画音声データを前記携帯電話端末へ送信する手段と、
を備えることを特徴とするサーバ。
【発明の詳細な説明】
【技術分野】
【０００１】
本発明は、ネットワークカメラシステムに関し、特に、ローカルエリアネットワーク内
に配置された撮像装置に好適なネットワークカメラシステムに関する。
【背景技術】
【０００２】
近年、撮像装置として、ネットワーク接続機能を備えたビデオカメラや、撮像機能を備
えたパーソナルコンピュータ等の端末装置が提供されている。このような撮像装置で撮像
した画像は、インターネット等を利用して離れた場所に位置するパソコンや携帯電話機か
ら閲覧することが可能である。このようなネットワークカメラに関連する技術の一例が、
特許文献１に記載されている。
【０００３】
また、撮像装置等には、有線または無線のローカルエリアネットワーク（ＬＡＮ）接続
機能を備えるものがある。
【先行技術文献】
【特許文献】
【０００４】
【特許文献１】特許第４０９５３９５号公報
【発明の概要】
【発明が解決しようとする課題】
【０００５】
ところで、上述したような撮像装置等が住宅等に設置され、パソコン等の他の装置とと
もにＬＡＮを構成する場合、撮像装置等にはグローバルＩＰアドレスではなくプライベー
トＩＰアドレス（ローカルＩＰアドレス）が付与される場合が多いため、いわゆるＮＡＴ
（Network Address Translation）越え問題が発生する。すなわち、利用者は、外部ネッ
トワークに属する携帯端末等からローカルネットワーク内の撮像装置等へアクセスするこ
とができず、せっかく撮像された撮像画像を外部から閲覧・取得することが困難であると
いう問題がある。また、利用者の間には、撮像装置等が撮像した画像を、自分が所望する
機器や通信形態を用いて閲覧したいというニーズがある。
【０００６】
そこで、本願発明は、ローカルネットワークに属し、固定グローバルＩＰアドレスが付
与されていない撮像装置等と外部ネットワークとの通信を提供することを目的とする。
【０００７】
また、本願発明は、ローカルネットワークに属し固定グローバルＩＰアドレスが付与さ
れていない撮像装置等によって撮像された画像を、外部ネットワークから任意に閲覧する
ことができるネットワークカメラシステムを提供することを目的とする。
【０００８】
また、本願発明は、ローカルネットワークに属し固定グローバルＩＰアドレスが付与さ
れていない撮像装置等によって撮像された画像を、利用者が所望する機器や通信形態を用
いて閲覧することができるネットワークカメラシステムを提供することを目的とする。
【課題を解決するための手段】
【０００９】
本発明のサーバは、ローカルエリアネットワークに属する撮像装置と、当該ローカルエ
リアネットワーク以外のネットワークに属する端末装置と、それぞれ通信可能に構成され
たサーバであって、前記撮像装置から定期的に送信される当該撮像装置に対する接続要求
の有無の問い合わせを受信する手段と、前記撮像装置からの問い合わせを受信した場合に
、前記端末装置から前記撮像装置に対する接続要求を受信しているか否かを判定し、当該
判定結果が是であることを条件に、前記問い合わせに基づいて確立した前記撮像装置との
間の接続を維持する手段と、前記維持された接続を利用して前記撮像装置から送信される
前記撮像装置が撮像した撮像データを受信する手段と、前記受信した前記撮影データを前
記端末装置へ送信する手段と、を備えることを特徴とする。
【００１０】
本発明のサーバは、ローカルエリアネットワークに属する第１の端末装置と、当該ロー
カルエリアネットワーク以外のネットワークに属する第２の端末装置と、それぞれ通信可
能に構成されたサーバであって、前記第１の端末装置から定期的に送信される当該第１の
端末装置に対する接続要求の有無の問い合わせを受信する手段と、前記第１の端末装置か
らの問い合わせを受信した場合に、前記第２の端末装置から前記第１の端末装置に対する
接続要求を受信しているか否かを判定し、当該判定結果が是であることを条件に、前記問
い合わせに基づいて確立した前記第１の端末装置との間の接続を維持する手段と、前記維
持された接続を利用して前記第１の端末装置から送信されるデータを受信する手段と、前
記受信した前記第１の端末装置から送信されるデータを前記第２の端末装置へ送信する手
段と、を備えることを特徴とする。
【００１１】
本発明のサーバは、ローカルエリアネットワークに属する撮像装置と、当該ローカルエ
リアネットワーク以外のネットワークに属する端末装置と、それぞれ通信可能に構成され
たサーバであって、前記端末装置から送信される前記端末装置の識別情報を受信する手段
と、前記撮像装置から定期的に送信される、前記撮像装置の識別情報と前記撮像装置のＩ
Ｐアドレスとを受信する手段と、前記受信した端末装置の識別情報が、前記受信した撮像
装置の識別情報と予め対応づけられている場合に、前記受信した撮像装置のＩＰアドレス
に基づいて確立した前記撮像装置との間の接続を維持する接続維持手段と、前記接続維持
手段により維持される接続を利用して前記撮像装置から送信される前記撮像装置が撮影し
たデータを受信する手段と、前記受信した前記撮像装置が撮影したデータを、前記端末装
置へ送信する手段と、を備えることを特徴とする。
【００１２】
本発明のサーバは、ローカルエリアネットワークに属する第１の端末装置と、当該ロー
カルエリアネットワーク以外のネットワークに属する第２の端末装置と、それぞれ通信可
能に構成されたサーバであって、前記第２の端末装置から送信される前記第２の端末装置
の識別情報を受信する手段と、前記第１の端末装置から一定間隔で送信される、前記第１
の端末装置の識別情報と前記第１の端末装置のＩＰアドレスとを受信する手段と、前記受
信した第２の端末装置の識別情報が、前記受信した第１端末装置の識別情報と予め対応づ
けられている場合に、前記受信した第１の端末装置のＩＰアドレスに基づいて確立した前
記第１の端末装置との間の接続を維持する接続維持手段と、前記接続維持手段により維持
される接続を利用して前記第１の端末装置から送信されるデータを受信する手段と、前記
受信した前記第１の端末装置から送信されたデータを、前記第２の端末装置へ送信する手
段と、を備えることを特徴とする。
【００１３】
本発明のサーバは、ローカルエリアネットワークに属する撮像装置と、当該ローカルエ
リアネットワーク以外のネットワークに属しテレビ電話機能を有する携帯電話端末と、そ
れぞれ通信可能に構成されたサーバであって、前記携帯電話端末の識別情報と前記撮像装
置の識別情報とを対応付けて記憶する第１の記憶手段と、前記撮像装置の識別情報とＩＰ
アドレスとポート番号とを対応付けて記憶する第２の記憶手段と、前記撮像装置から定期
的に送信される当該撮像装置の識別情報とＩＰアドレスとポート番号とを受信して、前記
第２の記憶手段の対応する情報を登録更新する更新手段と、前記携帯電話端末からのテレ
ビ電話の発信を受け付けると、当該携帯電話端末の識別情報に対応する前記撮像装置の識
別情報を前記第１の記憶手段から抽出する第１の抽出手段と、前記第１の抽出手段が抽出
した撮像装置の識別情報に対応するＩＰアドレス及びポート番号を前記第２の記憶手段か
ら抽出する第２の抽出手段と、前記第２の抽出手段が抽出したＩＰアドレス及びポート番
号に基づいて、前記撮像装置にテレビ電話の発信を転送する転送手段と、前記転送手段に
より転送されたテレビ電話の発信に対応して、前記撮像装置から送信される前記撮像装置
が撮像した動画音声データを受信する手段と、前記受信した前記動画音声データを前記携
帯電話端末へ送信する手段と、を備えることを特徴とする。
【００１４】
本発明のサーバは、ローカルエリアネットワークに属する撮像装置と、当該ローカルエ
リアネットワーク以外のネットワークに属する情報処理端末と、それぞれ通信可能に構成
されたサーバであって、前記撮像装置のドメイン名とＩＰアドレスを対応付けて記憶する
第１の記憶手段と、前記撮像装置の識別情報、ＩＰアドレス及びポート番号を対応付けて
記憶する第２の記憶手段と、前記撮像装置から定期的に送信される、当該撮像装置のドメ
イン名とＩＰアドレスを受信して、前記第１の記憶手段の対応する情報を登録更新する第
１の更新手段と、前記撮像装置から定期的に送信される当該撮像装置の識別情報とＩＰア
ドレスとポート番号とを受信して、前記第２の記憶手段の対応する情報を登録更新する第
２の更新手段と、前記情報処理端末からドメイン名を含む閲覧要求を受け付けると、当該
ドメイン名に対応するＩＰアドレスを前記第１の記憶手段から抽出する第１の抽出手段と
、前記第１の抽出手段が抽出したＩＰアドレスに対応するポート番号を前記第２の記憶手
段から抽出する第２の抽出手段と、前記第１の抽出手段が抽出したＩＰアドレスと前記第
２の抽出手段が抽出したポート番号を前記情報処理端末に送信する手段と、を備えること
を特徴とする。
【００１５】
なお、本明細書等において、手段とは、単に物理的手段を意味するものではなく、その
手段が有する機能をソフトウェアによって実現する場合も含む。また、１つの手段が有す
る機能が２つ以上の物理的手段により実現されても、２つ以上の手段の機能が１つの物理
的手段により実現されてもよい。
【００１６】
なお、本発明は、上記した実施の形態に限定されるものではなく、本発明の要旨を逸脱
しない範囲内において、他の様々な形で実施することができる。このため、上記実施形態
はあらゆる点で単なる例示にすぎず、限定的に解釈されるものではない。例えば、上述の
各処理ステップは処理内容に矛盾を生じない範囲で任意に順番を変更して又は並列に実行
することができる。
【発明の効果】
【００１７】
本発明によれば、ローカルネットワークに属し、固定グローバルＩＰアドレスが付与さ
れていない撮像装置等と外部ネットワークとの通信が可能になる。また、本発明によれば
、そのような撮像装置等よって撮像された画像を外部ネットワークから任意に閲覧するこ
とができるようになる。また、本発明によれば、ユーザは、自分が所望する機器や通信形
態を用いて撮像画像を閲覧することが可能になる。
【図面の簡単な説明】
【００１８】
【図１】第１の実施形態に係る画像配信システムの全体構成を説明する図である。
【図２】第１の実施形態に係る画像配信処理の流れを示すフローチャートである。
【図３】第２の実施形態に係るネットワークカメラシステムの構成を表すブロック図である。
【図４】第２の実施形態に係る撮像装置の構成を表すブロック図である。
【図５】第２の実施形態に係る中継サーバの構成を表すブロック図である。
【図６】第２の実施形態に係るゲートウェイの構成を表すブロック図である。
【図７】第２の実施形態に係る携帯端末の構成を説明する図である。
【図８】第２の実施形態に係るＮＡＴ越え処理の流れを説明する図である。
【図９】第３の実施形態に係るネットワークカメラシステムの全体構成を説明する図である。
【図１０】第３の実施形態に係る撮像装置の構成を表すブロック図である。
【図１１】第３の実施形態に係るＮＡＴ越え処理の流れを説明する図である。
【発明を実施するための形態】
【００１９】
（１）第１の実施形態
以下、第１の実施形態に係るネットワークカメラシステムについて詳細に説明する。図
１は、ネットワークカメラシステムとしての画像配信システム１の全体構成を示す構成図
である。撮像装置（端末装置）５は、例えば、ネットワークカメラであり、家庭や企業等
の施設内に設置され、情報処理端末６、情報処理端末７、ハブ８及びルータ９とともにＬ
ＡＮ４（Local Area Network）を構成する。端末装置３、中継サーバ２、録画・課金サー
バ１０は、通信ネットワークＮ（有線、無線を含む）を介して相互に通信可能に構成され
、さらにＬＡＮ４内の各装置とも通信可能に構成されている。
【００２０】
ＬＡＮ４を構成する撮像装置５、情報処理端末６、情報処理端末７には、プライベート
ＩＰアドレス（ローカルＩＰアドレス）が割り当てられる一方、これら撮像装置５等とＬ
ＡＮ４の外部ネットワークとの接続は、グローバルＩＰアドレスが割り当てられたブロー
ドバンドルータ９を介して行われる。なお、ブロードバンドルータ９は、プライベートＩ
ＰアドレスとグローバルＩＰアドレスを透過的に相互変換するＮＡＴ（Network Address 
Translation）機能、または、ＩＰアドレスに加えてポート番号も相互変換するＮＡＰＴ
（Network Address Port Translation）機能を備える。
【００２１】
本実施形態では、ユーザが操作する端末装置３として、カメラ機能を備えた携帯端末３
１、デジタルビデオレコーダ３２、パーソナルコンピュータ３３が、図１に例示されてい
る。しかし、端末装置３は、中継サーバ２へ接続要求を送信できる装置であればよく、こ
れらに限られない。
【００２２】
このようなネットワーク環境において、ユーザが、撮像装置５が撮影する被写体（例え
ば、自宅にいるペット等）の映像を閲覧したい場合、ユーザは、端末装置３を操作して被
写体の映像の閲覧要求を中継サーバ２に送信する。しかし、中継サーバ２は、ＬＡＮ４に
属しプライベートＩＰアドレスが割り当てられた撮像装置５に対しては、外部からアクセ
スすることができない。
【００２３】
そこで、本実施形態では、撮像装置５が、定期的に外部ネットワークに属する中継サー
バ２に対して端末装置３の閲覧要求の有無を問い合わせ、中継サーバ２は、端末装置３か
ら閲覧要求がない場合は、撮像装置５との接続（セッション）をその都度解除し、端末装
置３から閲覧要求があった場合に、かかる接続を維持する。撮像装置５は、中継サーバ２
との接続が維持された状態で被写体を撮影し、この撮影したデータを中継サーバ２に送信
する。このように、中継サーバ２は、ユーザの閲覧要求に応じて、撮像装置５との間の接
続を確立して維持し、この維持した接続を利用して、撮像装置５からリアルタイムで撮影
データを受信し、これを端末装置３へ送信するように構成した。
【００２４】
このような画像配信システム１によれば、撮像装置５の利用者は、端末装置３を利用し
て中継サーバ２にアクセスすることにより、撮像装置５が撮影した被写体の映像を、遠隔
地からリアルタイムで閲覧することができる。
【００２５】
図２は、本実施形態に係る画像配信システム１による画像配信処理の流れを示すフロー
チャートである。後述するフローチャートにおける各工程（符号が付与されていない部分
的な工程を含む）は処理内容に矛盾を生じない範囲で任意に順番を変更して又は並列に実
行することができる。
【００２６】
画像配信システム１による画像配信サービスの利用に先立ち、ユーザは、端末装置３か
ら中継サーバ２にアクセスし、ユーザ登録情報を送信する（Ｓ１００）。ユーザ登録情報
には、ユーザの端末装置３を一意的に識別するための識別情報（例えば、端末装置ＩＤや
携帯電話番号）と、ユーザの撮像装置５を一意的に識別するための識別情報（例えば、撮
像装置ＩＤ）とが含まれる。
【００２７】
ユーザは、例えば、撮像装置５に添付されたバーコード（図示せず）を端末装置３のカ
メラで撮影し、この撮影したバーコード画像を端末装置ＩＤとともに中継サーバ２に送信
する。中継サーバ２は、ユーザ登録情報を受信すると、受信した端末装置ＩＤと撮像装置
ＩＤ（バーコード画像を変換して得られたもの）とを対応づけて、所定のテーブルに記憶
する（Ｓ１０２）。これにより、中継サーバ２において、ユーザの撮像装置５と端末装置
３とが対応付けて管理される。
【００２８】
撮像装置５は、電源がＯＮになると（Ｓ１０４）、メモリに格納された所定のプログラ
ム（ＮＡＴ越えモジュール）がＣＰＵによって実行され、ルータ９を介して中継サーバ２
に対して接続要求の有無の問い合わせを送信する（Ｓ１０６）。接続要求の有無の問い合
わせは、端末装置３から接続要求の問い合わせ（撮像装置５の撮影データの取得/閲覧要
求）があったか否かを確認するためのものである。この問い合わせには、撮像装置ＩＤと
、撮像装置に付与されたプライベートＩＰアドレスと、ポート番号とを含む。
【００２９】
なお、ルータ９は、問い合わせを受け付けると、ＩＰアドレスとポート番号の対応関係
を定義したマッピングテーブルを参照して、問い合わせに含まれる撮像装置５のプライベ
ートＩＰアドレスとポート番号を、それぞれ対応するグローバルＩＰアドレスと他のポー
ト番号に変換し、通信ネットワークＮに送出する。また、同様に、撮像装置５を宛先とす
るデータを通信ネットワークＮから受け付けた場合は、マッピングテーブルを参照して、
データ内のグローバルＩＰアドレスとポート番号を、それぞれ対応するプライベートＩＰ
アドレスと他のポート番号に変換して、ＬＡＮ４に送出する。
【００３０】
中継サーバ２は、撮像装置５から接続要求の有無の問い合わせを受信すると、問い合わ
せに含まれる撮像装置５のプライベートＩＰアドレスとポート番号（中継サーバから見た
場合は変換後のグローバルＩＰアドレスとポート番号）を用いて、撮像装置５との間でＴ
ＣＰ／ＩＰに基づく接続を確立する。
【００３１】
そして、撮像装置ＩＤに対応づけられた端末装置ＩＤを有する端末装置３の接続要求情
報を所定のテーブル（接続要求管理テーブル）から参照する。接続要求情報にはデフォル
トとしてＯＦＦが設定されているので、中継サーバ２は、接続要求情報（ＯＦＦ）を返信
する（Ｓ１１０）。そして、中継サーバ２は、接続要求情報に（ＯＦＦ）が設定されてい
るので、撮像装置５との間の接続を解除する（Ｓ１１２）。
【００３２】
撮像装置５は、中継サーバ２から接続要求情報（ＯＦＦ）を受信すると、予め設定され
た一定間隔に従い、接続要求の有無の問い合わせを継続的に送信する（Ｓ１１４）。一定
間隔は、仕様に応じてまたは利用者が任意に設定することができ、本実施形態では、一例
として５秒が設定されている。
【００３３】
一方、撮像装置５が撮影した被写体の映像をユーザが閲覧したい場合、ユーザは、端末
装置３を操作して、中継サーバ２に対して接続要求（撮像装置５の撮影データの取得要求
）送信する（Ｓ１１６）。接続要求には、端末装置ＩＤが含まれる。
【００３４】
中継サーバ２は、接続要求を端末装置３から受信すると（Ｓ１１８）、所定のテーブル
（接続要求管理テーブル）を参照し、接続要求に含まれる端末装置ＩＤに対応する接続要
求情報に「ＯＮ」を設定する（Ｓ１２０）。
【００３５】
なお、Ｓ１０６の送信後、撮像装置５は、一定間隔（５秒）で、ルータ９を介して中継
サーバ２に対して接続要求の有無の問い合わせを送信する（Ｓ１２２）。問い合わせには
、撮像装置ＩＤと、撮像装置に付与されたプライベートＩＰアドレスと、ポート番号とが
含まれる。なお、ルータ９による変換後は、撮像装置ＩＤとグローバルＩＰアドレスとポ
ート番号が含まれる。
【００３６】
中継サーバ２は、撮像装置５から接続要求の有無の問い合わせを受信すると、問い合わ
せに含まれる撮像装置のプライベートＩＰアドレスとポート番号（中継サーバから見た場
合は変換後のグローバルＩＰアドレスとポート番号）を用いて、撮像装置５との間でＴＣ
Ｐ／ＩＰに基づく接続を確立する。
【００３７】
そして、問い合わせに含まれる撮像装置ＩＤに対応する端末装置３の接続要求情報を所
定のテーブル（接続要求管理テーブル）から参照する。ここでは、接続要求情報にＯＮが
設定されているので、中継サーバ２は、接続要求情報（ＯＮ）を返信する（Ｓ１２６）。
そして、中継サーバ２は、接続要求情報に（ＯＮ）が設定されているので、撮像装置５と
の間に確立した接続をＴＣＰ／ＩＰに基づいて維持する（Ｓ１２８）。
【００３８】
撮像装置５は、中継サーバ２から接続要求情報（ＯＮ）を受信すると、データ送信処理
を開始する（Ｓ１３０）。撮像装置５は、そのカメラ機構により被写体を撮影し（Ｓ１３
２）、撮影した撮影データ（被写体の静止画、動画、及び／または、音声）を、維持され
ている接続（セッション）を利用して、中継サーバ２へ送信する（Ｓ１３４）。撮影デー
タの送信には、ＵＤＰ／ＩＰを利用することができる。また、被写体の撮影及びその撮影
データの送信は、仕様や設定に応じて行うことができ、例えば、所定間隔で静止画を送信
してもよいし、動画を送信してもよい。
【００３９】
中継サーバ２は、撮影データを受信すると（Ｓ１３６）、受信した撮影データに対して
所定の画像処理を施し、端末装置３へ送信する（Ｓ１３８）。端末装置３は、撮影データ
を受信すると、ディスプレイに出力する（Ｓ１４０）。
【００４０】
また、中継サーバ２は、撮影データを、端末装置ＩＤや撮像装置ＩＤと対応付けて録画
／課金サーバ１０へ送信し（Ｓ１４２）、録画／課金サーバ１０は、受信した撮影データ
を端末装置ＩＤや撮像装置ＩＤと対応付けて所定の記憶領域に格納する（Ｓ１４４）。録
画／課金サーバ１０は、所定の設定条件に従って、撮影データの利用に対する課金処理を
実行する。
【００４１】
上記第１の実施形態によれば、ローカルエリアネットワークに属し、グローバルＩＰア
ドレスが付与されていない撮像装置５と、外部ネットワークに属する中継サーバ２との通
信が可能になる。
【００４２】
また、端末装置３から接続要求があった場合のみ、撮像装置５と中継サーバ２との間の
接続が維持され、撮像装置５から中継サーバ２へ撮影データが送信される。従って、撮像
装置５と中継サーバ２との間の接続は効率的に維持され、中継サーバ２の負荷を軽減する
ことが可能になる。
【００４３】
なお、上記第１の実施形態では、端末装置３から撮像装置（端末装置）５に対して、そ
の撮像データに対する取得要求があった場合を例に説明したが、第１の実施形態の構成は
これに限られず、例えば、端末装置３が、情報処理端末６や情報処理端末７に対して、そ
れらが保有するデータに対する取得要求を行う場合についても同様に適用できる。
【００４４】
上記第１の実施形態では、サーバは、端末装置と、ローカルエリアネットワークに属す
る撮像装置と、通信可能に構成されたサーバであって、前記撮像装置から一定間隔で送信
される第１の接続要求を受信する手段と、前記端末装置から送信される第２の接続要求を
受信する手段と、前記第１の接続要求を受信した場合に、前記第２の接続要求を受信した
か否かを判定し、前記第２の接続要求を受信したと判定した場合は、前記第１の接続要求
に基づいて確立した前記撮像装置との間の接続を維持する接続維持手段と、前記接続維持
手段により維持される接続を利用して前記撮像装置から送信される前記撮像装置が撮影し
たデータを受信する手段と、前記受信した前記撮像装置が撮影したデータを、前記端末装
置へ送信する手段と、を備える。
【００４５】
また、サーバは、第１の端末装置と、ローカルエリアネットワークに属する第２の端末
装置と、通信可能に構成されたサーバであって、前記第２の端末装置から一定間隔で送信
される第１の接続要求を受信する手段と、前記第１の端末装置から送信される第２の接続
要求を受信する手段と、前記第１の接続要求を受信した場合に、前記第２の接続要求を受
信したか否かを判定し、前記第２の接続要求を受信したと判定した場合は、前記第１の接
続要求に基づいて確立した前記第２の端末装置との間の接続を維持する接続維持手段と、
前記接続維持手段により維持される接続を利用して前記第２の端末装置から送信されるデ
ータを受信する手段と、前記受信した前記第２の端末装置が送信したデータを、前記第１
の端末装置へ送信する手段と、を備える。
【００４６】
また、サーバは、端末装置と、ローカルエリアネットワークに属する撮像装置と、通信
可能に構成されたサーバであって、前記端末装置から送信される前記端末装置の識別情報
を受信する手段と、前記撮像装置から一定間隔で送信される、前記撮像装置の識別情報と
前記撮像装置のプライベートＩＰアドレスとを受信する手段と、前記受信した端末装置の
識別情報が、前記受信した撮像装置の識別情報と予め対応づけられている場合に、前記受
信した撮像装置のプライベートＩＰアドレスに基づいて確立した前記撮像装置との間の接
続を維持する接続維持手段と、前記接続維持手段により維持される接続を利用して前記撮
像装置から送信される前記撮像装置が撮影したデータを受信する手段と、前記受信した前
記撮像装置が撮影したデータを、前記端末装置へ送信する手段と、を備える。
【００４７】
サーバは、第１の端末装置と、ローカルエリアネットワークに属する第２の端末装置と
、通信可能に構成されたサーバであって、前記第１の端末装置から送信される前記第１の
端末装置の識別情報を受信する手段と、前記第２の端末装置から一定間隔で送信される、
前記第２の端末装置の識別情報と前記第２の端末装置のプライベートＩＰアドレスとを受
信する手段と、前記受信した第１の端末装置の識別情報が、前記受信した第２の端末装置
の識別情報と予め対応づけられている場合に、前記受信した第２の端末装置のプライベー
トＩＰアドレスに基づいて確立した前記第２の端末装置との間の接続を維持する接続維持
手段と、前記接続維持手段により維持される接続を利用して前記第２の端末装置から送信
されるデータを受信する手段と、前記受信した前記第２の端末装置から送信されたデータ
を、前記第１の端末装置へ送信する手段と、を備える。
【００４８】
（２）第２の実施形態
図３は、第２の実施形態に係るネットワークカメラシステムの概略構成を示すブロック
図である。第２の実施形態では、携帯ＴＶ電話を利用してネットワークカメラの撮像画像
を閲覧する場合について説明する。なお、図３において、図１と同一構成については同一
の符号を付し、ここでは説明を省略する。
【００４９】
第２の実施形態に係るネットワークカメラシステムは、端末装置がＴＶ電話機能を有す
る携帯電話機である点と、この携帯電話機からＴＶ電話の発信を受け付けるゲートウェイ
サーバ１１を備える点におもな特徴がある。撮像装置としてのネットワークカメラ５１は
、情報処理端末６、情報処理端末７、ハブ８及びルータ９とともにＬＡＮ４（Local Area
Network）を構成する。ネットワークカメラ５１と携帯電話機３４は、通信ネットワーク
Ｎ２（例えば、ＩＳＤＮ回線が該当するが、これに限られない。）、ゲートウェイサーバ
１１及び通信ネットワークＮ（例えば、インターネットが該当するが、これに限られない
）を介して、相互に通信可能に構成されている。なお、図３では、１つの携帯電話機３４
を例示しているが、ネットワークカメラシステムには１つ以上の携帯電話機３４を接続可
能である。また、図３では、中継サーバ２１とゲートウェイサーバ１１とを別々に記載し
たが、これらの機能を単一のコンピュータより構成されるようにしてもよい。
【００５０】
図４は、第２の実施形態に係るネットワークカメラの機能構成を表すブロック図である
。ネットワークカメラ５１は、通信部（通信手段）５１１、制御部（制御手段）５１２、
記憶部（記憶手段）５１３、音声入出力部（音声入出力手段）５１４、撮像部（撮像手段
）５１５、表示部（表示手段）５１６、操作部（操作手段）５１７を備える。ネットワー
クカメラ５１は、図示してはいないが、ＣＰＵ、メモリ、外部記憶装置、入出力インタフ
ェース、通信インタフェース、カメラ機構及びこれらを結ぶバスを備えるハードウェアを
備え、例えばＣＰＵがメモリや記憶装置に格納された各種プログラムを実行して各ハード
ウェアを制御することにより上記の各機能手段は実現される。
【００５１】
通信部５１１は、ＬＡＮ４を介してネットワークカメラ５１に対して情報を入出力する
ように通信を制御するものであり、例えば、ＴＣＰ／ＩＰ等のモジュールを備える。制御
部５１２は、ネットワークカメラ５１全体の動作を制御するものであり、ＮＡＴ越え処理
を実行するＮＡＴ越え処理部や、テレビ電話処理を実行するテレビ電話処理部などを備え
る。記憶部５１３は、ＮＡＴ越え処理等に必要な各種プログラムやデータを適宜記憶する
ものであり、ここでは、ネットワークカメラを一意的に識別するカメラＩＤをユーザ登録
情報として記憶する。音声入出力部５１４は、ネットワークカメラ５１に対して音声の入
出力を制御し、例えばスピーカ、マイク、イヤホンなどが該当する。撮像部５１５は、例
えばＣＣＤ（Charge Coupled Devices）イメージセンサにより被写体を撮像し、その撮像
結果（画像信号）に対してＡ／Ｄ変換処理や画像処理等を適宜施すことにより撮像画像を
生成する。表示部５１６は、撮像画像等を表示するためのものであり、例えば液晶ディス
プレイが該当する。操作部５１７は、ユーザの操作を受け付けるものであり、例えば、ス
イッチ、ボタン、操作キー、キーボード等が該当する。なお、ネットワークカメラ５１が
備える構成や機能はこれらに限られず、設定に応じて機能の追加や変更が可能である。
【００５２】
図５は、第２の実施形態に係る中継サーバの構成を表すブロック図である。中継サーバ
２１は、通信部２１１、制御部２１２、記憶部２１３、入力部２１４、出力部２１５を備
える。なお、中継サーバ２１は、単一のコンピュータより構成されるものであっても、ネ
ットワーク上に分散した複数のコンピュータより構成されるものであってもよい。中継サ
ーバ２１は、図示してはいないが、ＣＰＵ、メモリ、外部記憶装置、入出力インタフェー
ス、通信インタフェース及びこれらを結ぶバスを備えるハードウェアを備え、例えばＣＰ
Ｕがメモリや記憶装置に格納された各種プログラムを実行することにより各種機能を実現
する。
【００５３】
通信部２１１は、通信ネットワークＮを介して中継サーバ２１に対して情報を入出力す
るように通信を制御するものであり、例えば、ＴＣＰ／ＩＰ等のモジュールを備える。制
御部２１２は、中継サーバ２１全体の動作を制御するものであり、カメラ情報を適宜更新
するカメラ情報更新部や、ＮＡＴ越えのためにアクセス先（ネットワークカメラ）を判定
する判定部などを備える。また、記憶部２１３は、ＮＡＴ越え処理等に必要な各種プログ
ラムやデータを適宜記憶するものであり、ここでは、ネットワークカメラ５１を一意的に
識別するカメラＩＤ、ネットワークカメラ５１に付与されたＩＰアドレスとポート番号が
対応付けてユーザ登録情報として記憶される。入力部２１４及び出力部２１５は、各種デ
ータを入出力するためのものであり、例えば、キーボードやディスプレイ等が該当する。
なお、中継サーバ２１が備える構成や機能はこれらに限られず、設定に応じて機能の追加
や変更が可能である。
【００５４】
図６は、第２の実施形態に係るゲートウェイサーバの構成を表すブロック図である。ゲ
ートウェイサーバ１１は、通信部１１１、制御部１１２、記憶部１１３、入力部１１４、
出力部１１５を備える。なお、ゲートウェイサーバ１１は、単一のコンピュータより構成
されるものであっても、ネットワーク上に分散した複数のコンピュータより構成されるも
のであってもよい。ゲートウェイサーバ１１は、図示してはいないが、ＣＰＵ、メモリ、
外部記憶装置、入出力インタフェース、通信インタフェース及びこれらを結ぶバスを備え
るハードウェアを備え、例えばＣＰＵがメモリや記憶装置に格納された各種プログラムを
実行することにより各種機能を実現する。
【００５５】
通信部１１１は、通信ネットワークＮ及び通信ネットワークＮ２をそれぞれ介してゲー
トウェイサーバ１１に対して情報を入出力するように通信を制御するものであり、例えば
、ＴＣＰ／ＩＰやＳＩＰ等のモジュールを備える。制御部２１２は、ゲートウェイサーバ
１１全体の動作を制御するものであり、ユーザ情報を登録するユーザ情報登録部や、ＮＡ
Ｔ越えのためにアクセス先（ネットワークカメラ）を問い合わせる問い合わせ部、テレビ
電話を中継するＴＶ電話中継部などを備える。また、記憶部１１３は、ＮＡＴ越え処理等
に必要な各種プログラムやデータを適宜記憶するものであり、ここでは、携帯電話機３４
の携帯電話番号とネットワークカメラ５１を一意的に識別するカメラＩＤとが対応付けて
記憶される。入力部１１４及び出力部１１５は、各種データを入出力するためのものであ
り、例えば、キーボードやディスプレイ等が該当する。なお、ゲートウェイサーバ１１が
備える構成や機能はこれらに限られず、設定に応じて機能の追加や変更が可能である。
【００５６】
図７は、第２の実施形態に係る携帯電話機の構成を説明する図である。携帯電話機３４
は、通信部３４１、制御部３４２、記憶部３４３、音声入出力部３４４、撮像部３４５、
表示部３４６、操作部３４７を備える。携帯電話機３４は、図示してはいないが、ＣＰＵ
、メモリ、外部記憶装置、入出力インタフェース、通信インタフェース及びこれらを結ぶ
バスを備えるハードウェアを備え、例えばＣＰＵがメモリや記憶装置に格納された各種プ
ログラムを実行することにより各種機能を実現する。
【００５７】
通信部３４１は、通信ネットワークＮ２を介して携帯電話機３４に対して情報を入出力
するように通信を制御するものであり、例えば、ＳＩＰ等のモジュールを備える。制御部
３４２は、携帯電話機３４全体の動作を制御するものであり、テレビ電話に関する処理を
実行するＴＶ電話処理部などを備える。また、記憶部３４３は、各種プログラムやデータ
を適宜記憶するものであり、ここでは、携帯電話機３４の携帯電話番号が記憶される。音
声入出力部３４４は、携帯電話機３４に対して音声の入出力を制御し、例えばスピーカ、
マイク、イヤホンなどが該当する。撮像部３４５は、例えばＣＣＤ（Charge Coupled Dev
ices）イメージセンサにより被写体を撮像し、その撮像結果（画像信号）に対してＡ／Ｄ
変換処理や画像処理等を適宜施すことにより撮像画像を生成する。表示部３４６は、撮像
画像等を表示するためのものであり、例えば液晶ディスプレイが該当する。操作部３４７
は、ユーザの操作を受け付けるものであり、例えば、ボタンや操作キー等が該当する。な
お、携帯電話機３４が備える構成や機能はこれらに限られず、設定に応じて機能の追加や
変更が可能である。
【００５８】
次に、以上のように構成される第２の実施形態に係るネットワークカメラシステムの処
理の流れについて詳細に説明する。図８は、第２の実施形態に係るＮＡＴ越え処理の流れ
を示すフローチャートである。後述するフローチャートにおける各工程（符号が付与され
ていない部分的な工程を含む）は処理内容に矛盾を生じない範囲で任意に順番を変更して
又は並列に実行することができる。
【００５９】
ネットワークシステムによるサービスの利用に先立ち、ユーザは、携帯電話機３４から
ゲートウェイサーバ１１と中継サーバ２１にそれぞれアクセスし、ユーザ登録情報を送信
する（Ｓ２００）。ゲートウェイサーバ１１宛てのユーザ登録情報には、ユーザの携帯電
話機３４を一意的に識別するための識別情報（例えば、携帯電話機３４のＳＩＭカードに
登録されている端末ＩＤ又は電話番号）と、ユーザのネットワークカメラ５１を一意的に
識別するための識別情報（例えば、カメラＩＤ）とが含まれる。中継サーバ２１宛てのユ
ーザ登録情報には、少なくともカメラＩＤが含まれる。
【００６０】
ゲートウェイサーバ１１と中継サーバ２１は、ユーザの登録情報を受信すると、受信し
たユーザ登録情報をそれぞれ所定の記憶領域に格納する（Ｓ２０２、Ｓ２０４）。
【００６１】
一方、ネットワークカメラ５１の制御部５１２は、電源がＯＮになると、ＮＡＴ越えモ
ジュールを実行し、ネットワークカメラ５１に関する情報（カメラ情報）をルータ９経由
で中継サーバ２に定期的に送信する（Ｓ２０６）。カメラ情報は、カメラＩＤと、ネット
ワークカメラ５１に付与されたプライベートＩＰアドレス及びポートＮｏ（ポート番号）
を含む。カメラ情報を送信するタイミングは、設計に応じて適宜設定することが可能であ
る。なお、図８中のＳ２０６、Ｓ２０８、Ｓ２１０に係る処理工程を囲む点線は、Ｓ２０
６、Ｓ２０８、Ｓ２１０に係る処理工程が、既定条件（例えば、電源がＯＦＦになるまで
）を満たすまで繰り返し実行されることを示している。
【００６２】
ネットワークカメラ５１から送出されたカメラ情報は、ルータ９によってＩＰアドレス
とポート番号の変換が行われた後、中継サーバ２１に送られる（Ｓ２０８）。
【００６３】
中継サーバ２１は、カメラ情報を取得すると、カメラ情報に含まれるカメラＩＤ、グロ
ーバルＩＰアドレス及びポートＮｏを対応付けて所定の記憶領域に格納する（Ｓ２１０）
。カメラ情報が既に格納されている場合は、中継サーバ２１は、カメラＩＤに基づいて該
当するデータを特定し、特定されたデータを登録更新する。これにより、中継サーバ２１
には、ネットワークカメラ５１の最新のＩＰアドレス及びポートＮｏが保持されることに
なる。
【００６４】
一方、ユーザは、ネットワークカメラ５１の撮像画像を閲覧したい場合、携帯電話機３
４に対してテレビ電話発信のための操作をすることにより、ゲートウェイサーバ１１に向
けてテレビ電話を発信し（Ｓ２１２）、ゲートウェイサーバ１１は、携帯電話機３４から
のテレビ電話を着信する（Ｓ２１４）。
【００６５】
ゲートウェイサーバ１１は、テレビ電話を着信すると、例えば、発信者番号通知機能な
どに基づいてテレビ電話の発信元である携帯電話機３４の携帯電話番号を特定し（Ｓ２１
６）、特定した携帯電話番号をキーにユーザ登録情報を参照することにより、携帯電話番
号に対応するカメラＩＤを特定する（Ｓ２１６）。
【００６６】
ゲートウェイサーバ１１は、特定したカメラＩＤに基づいて、テレビ電話の着信先すな
わちアクセス先（ネットワークカメラ）を、中継サーバ２１に問い合わせる（Ｓ２１８）
。
【００６７】
中継サーバ２１は、受けつけた問い合わせに含まれるカメラＩＤをキーにカメラ情報を
参照することにより、カメラＩＤに対応するアクセス先情報（グローバルＩＰアドレスと
ポートＮｏ）を特定する（Ｓ２２０）。
【００６８】
中継サーバ２１は、特定したアクセス先情報（グローバルＩＰアドレスとポートＮｏ）
を、ゲートウェイサーバ１１に送り返す（Ｓ２２２）。
【００６９】
ゲートウェイサーバ１１は、携帯電話３４の発信情報と、受信したアクセス先情報（グ
ローバルＩＰアドレスとポートＮｏ）とに基づいて、をルータ９経由でネットワークカメ
ラ５１に送信する（Ｓ２２６）。
【００７０】
ルータ９は、テレビ電話の要求に含まれる送信先アドレスを所定のマッピングテーブル
に従ってアドレス変換し（グローバルＩＰアドレス→プライベートＩＰアドレス、ポート
Ｎｏ→他のポートＮｏ）ＬＡＮ４に送出する（Ｓ２２８）。
【００７１】
ネットワークカメラ５１は、テレビ電話の要求を受信すると（Ｓ２３０）、テレビ電話
処理を開始し、動画音声データ（撮像画像）の送信を開始する（Ｓ２３２）。
【００７２】
ルータ９は、動画音声データに含まれる送信元アドレスを、所定のマッピングテーブル
に従ってアドレス変換し（プライベートＩＰアドレス→グローバルＩＰアドレス、他のポ
ートＮｏ→ポートＮｏ）、通信ネットワークＮに送出する（Ｓ２３４）。
【００７３】
動画音声データは、ゲートウェイサーバ１１を経由して（Ｓ２３６）、携帯電話機３４
に送信され、携帯電話機３４は、動画音声データを受信して再生する（Ｓ２３８）。図８
中のＳ２３２、Ｓ２３４、Ｓ２３６に係る処理工程は、既定条件（例えば、テレビ電話終
了指示を受け付けるまで）を満たすまで繰り返し実行される。
【００７４】
ユーザが、携帯電話機３４に対してテレビ電話終了のための操作を実行すると、携帯電
話機３４は、テレビ電話の終了指示をネットワークカメラ５１に対して送信する（Ｓ２４
０）。テレビ電話の終了指示は、ゲートウェイサーバ１１を経由して（Ｓ２４２）、ネッ
トワークカメラ５１に対して送信される。
【００７５】
ルータ９は、テレビ電話の終了指示に含まれる送信先アドレスを所定のマッピングテー
ブルに従ってアドレス変換し（グローバルＩＰアドレス→プライベートＩＰアドレス、ポ
ートＮｏ→他のポートＮｏ）ＬＡＮ４に送出する（Ｓ２４４）。
【００７６】
ネットワークカメラ５１は、テレビ電話の終了指示を受信すると、動画音声データの送
信を中止する（Ｓ２４６）。
【００７７】
なお、上記フローでは、ネットワークカメラ５１で撮像した動画音声データを携帯電話
機３４が受信して再生する場合について説明したが、同時に、携帯電話機３４で撮像した
動画音声データを動画音声データが受信して再生するようにしてもよい。
【００７８】
以上、第２の実施形態によれば、第１の実施形態と同様の効果に加えて、ユーザは、テ
レビ電話機能という自分が所望する通信形態を利用して、ネットワークカメラの撮像画像
を閲覧することができるようになる。また、テレビ電話機能を利用することで、ネットワ
ークカメラの撮像画像をリアルタイムで閲覧することが可能になる。
【００７９】
（３）第３の実施形態
図９は、第３の実施形態に係るネットワークシステムの概略構成を示すブロック図であ
る。第３の実施形態では、ＤＤＮＳサーバを利用してネットワークカメラの撮像画像を閲
覧する場合について説明する。なお、図９において、図１と同一構成については同一の符
号を付し、ここでは説明を省略する。
【００８０】
図９に示すように、第３の実施形態に係るネットワークカメラシステムは、ＤＤＮＳ（
Dynamic Domain Name System）サーバを利用してパーソナルコンピュータ等の端末装置か
ら撮像画像を閲覧する点に特徴がある。撮像装置としてのネットワークカメラ５２は、情
報処理端末６、情報処理端末７、ハブ８及びルータ９とともにＬＡＮ４（Local Area Net
work）を構成する。ネットワークカメラ５２、中継サーバ２２及び端末装置３は、通信ネ
ットワークＮ（例えば、インターネットが該当するが、これに限られない。）を介して、
相互に通信可能に構成されている。ＤＤＮＳサーバ１２は、動的に割り当てられるＩＰア
ドレスとそのホスト名の対応を動的に登録し管理する機能を有する。また、図９では、中
継サーバ２１とＤＤＮＳサーバ１２とを別々に記載したが、これらの機能を単一のコンピ
ュータより構成されるようにしてもよい。
【００８１】
図１０は、第３の実施形態に係るネットワークカメラの機能構成を表すブロック図であ
る。ネットワークカメラ５２は、通信部５２１、制御部５２２、記憶部５２３、音声入出
力部５２４、撮像部５２５、表示部５２６、操作部５２７を備える。図１０に示すネット
ワークカメラは、その制御部がテレビ電話処理部の代わりにＤＤＮＳ処理部を備える点で
、図４に示すネットワークカメラの制御部と相違しているが、その他の構成は共通する。
ＤＤＮＳ処理部は、後述するように、定期的にドメイン名とＩＰアドレスをＤＤＮＳサー
バ１２に送信する。
【００８２】
次に、以上のように構成される第３の実施形態に係るネットワークカメラシステムの処
理の流れについて詳細に説明する。図１１は、第３の実施形態に係るＮＡＴ越え処理の流
れを示すフローチャートである。後述するフローチャートにおける各工程（符号が付与さ
れていない部分的な工程を含む）は処理内容に矛盾を生じない範囲で任意に順番を変更し
て又は並列に実行することができる。
【００８３】
ネットワークカメラ５２の制御部５２２は、電源がＯＮになると、ＮＡＴ越えモジュー
ルを実行し、ネットワークカメラ５２に関する情報（カメラ情報）をルータ９経由で中継
サーバ２２に定期的に送信する（Ｓ３００）。カメラ情報は、カメラＩＤと、ネットワー
クカメラ５１に付与されたプライベートＩＰアドレス及びポートＮｏを含む。カメラ情報
を送信するタイミングは、設計に応じて適宜設定することが可能である。なお、図８中の
Ｓ３００〜Ｓ３１０に係る処理工程を囲む点線は、Ｓ３００〜Ｓ３１０に係る処理工程が
、既定条件（例えば、電源がＯＦＦになるまで）を満たすまで繰り返し実行されることを
示している。
【００８４】
ネットワークカメラ５２から送出されたカメラ情報は、ルータ９によってＩＰアドレス
とポート番号の変換が行われた後、中継サーバ２２に送られる（Ｓ３０２）。
【００８５】
中継サーバ２２は、カメラ情報を取得すると、カメラ情報に含まれるカメラＩＤ、グロ
ーバルＩＰアドレス及びポートＮｏを対応付けて所定の記憶領域に格納する（Ｓ３０４）
。カメラ情報が既に格納されている場合は、中継サーバ２２は、カメラＩＤに基づいて該
当するデータを特定し、特定されたデータを登録更新する。これにより、中継サーバ２２
には、ネットワークカメラ５２の最新のＩＰアドレスやポートＮｏが保持されることにな
る。
【００８６】
同様に、ネットワークカメラ５２の制御部５２２は、ＤＤＮＳモジュールを実行し、ネ
ットワークカメラ５２のドメインに関する情報（ドメイン情報）をルータ９経由で中継サ
ーバ２２に定期的に送信する（Ｓ３０６）。ドメイン情報は、ドメイン名とネットワーク
カメラ５１に付与されたプライベートＩＰアドレスとを含む。ドメイン情報を送信するタ
イミングは、設計に応じて適宜設定することが可能である。
【００８７】
ネットワークカメラ５２から送出されたドメイン情報は、ルータ９によってＩＰアドレ
スとポート番号の変換が行われた後、ＤＤＮＳサーバ１２に送られる（Ｓ３０８）。
【００８８】
ＤＤＮＳサーバ１２は、ドメイン情報を取得すると、ドメイン名とグローバルＩＰアド
レスを対応付けて所定の記憶領域に格納する（Ｓ３１０）。ドメイン名が既に格納されて
いる場合は、ドメイン名に基づいて該当するデータを特定して登録更新する。これにより
、ＤＤＮＳサーバ１２には、ネットワークカメラ５２の最新のＩＰアドレスとドメイン名
の対応付け情報が保持されることになる。
【００８９】
一方、ユーザは、端末装置３からドメイン名を入力して閲覧要求を送信し（Ｓ３１１）
、ＤＤＮＳサーバ１２は、閲覧要求を受信する（Ｓ３１２）。
【００９０】
ＤＤＮＳサーバ１２は、閲覧要求に含まれるドメイン名に対応するグローバルＩＰアド
レスを、所定の記憶領域から特定し（Ｓ３１４）、特定したグローバルＩＰアドレスに基
づいて閲覧要求を転送する（Ｓ３１６）。
【００９１】
中継サーバ２２は、閲覧要求に含まれるグローバルＩＰアドレスをキーにカメラ情報を
参照することにより、グローバルＩＰアドレスに対応するカメラＩＤとポートＮｏを特定
する（Ｓ３１８）。
【００９２】
中継サーバ２２は、特定したアクセス先情報（グローバルＩＰアドレスとポートＮｏ）
を、端末装置３に送り返す（Ｓ３２０）。
【００９３】
端末装置３は、取得したアクセス先情報（グローバルＩＰアドレスとポートＮｏ）（Ｓ
３２２）に基づいて、撮像データの取得要求を送信する（Ｓ３２４）。
【００９４】
撮像データの取得要求は、ルータ９を経由してアドレス変換が行われた後（Ｓ３２６）
、ネットワークカメラ５２に送信される（Ｓ３２８）。
【００９５】
ネットワークカメラ５２は、撮像データの取得要求を受信すると（Ｓ３２８）、撮像処
理を開始し、撮像した動画音声データ（撮像画像）の送信を開始する（Ｓ３３０）。
【００９６】
送信された撮像した動画音声データ（撮像画像）は、ルータ９を経由してアドレス変換
が行われた後（Ｓ３３２）、端末装置３に送信される。
【００９７】
端末装置３は、動画音声データ（撮像画像）を受信して、これを再生する（Ｓ３３４）
。図１１中のＳ３３０、Ｓ３３２、Ｓ３３４に係る処理工程は、既定条件（例えば、取得
終了指示を受け付けるまで）を満たすまで繰り返し実行される。
【００９８】
ユーザが、端末装置３に対して取得終了指示の操作を実行すると、端末装置３は、撮像
データの取得終了指示をネットワークカメラ５２に対して送信する（Ｓ３３６）。この終
了指示は、ルータ９を経由してアドレス変換され（Ｓ３３８）、ネットワークカメラ５２
によって受信される（Ｓ３４０）。
【００９９】
ネットワークカメラ５２は、終了指示を受信すると、撮像を中止して、動画音声データ
の送信を中止する（Ｓ３４０）。
【０１００】
以上、第３の実施形態によれば、第１の実施形態と同様の効果に加えて、ユーザは、パ
ーソナルコンピュータ等の端末装置を利用して、ネットワークカメラが撮像した動画像を
リアルタイムで閲覧することができるようになる。
【０１０１】
（４）その他の実施形態
上記第２の実施形態では、ネットワークカメラ５１及びルータ９からＩＰアドレスを中
継サーバ２１へ定期的に送信し、中継サーバ２１は、この受信したＩＰアドレスを用いて
ネットワークカメラ５１と携帯電話３４との間のＴＶ電話接続を確立している。しかし、
接続を確立している最中にルータ９がリセット等された場合には、グローバルＩＰアドレ
スが変更してしまう可能性がある。そこで、ネットワークカメラ５１に、ルータ９の動作
を常時監視し、ルータ９の異常を自動的に検知する機能を有する死活監視手段を設けるこ
とが望ましい。この死活監視手段は、例えば、ＴＶ電話接続を確立している最中にルータ
９の異常を検知した場合には、ルータ９が回復して新たにグローバルＩＰアドレスが割り
当てられたタイミングで、中継サーバ２１にカメラ情報（カメラＩＤ、プライベートＩＰ
アドレス、ポートＮｏ）を送信する。ルータ９は、プライベートＩＰアドレスを最新のグ
ローバルＩＰアドレスに変換して中継サーバ２１へ送信する。中継サーバ２１は、最新の
グローバルＩＰアドレスを受信すると、これによって該当する登録済みのグローバルＩＰ
アドレスを更新する。これにより、接続を確立している最中にルータ９がリセット等され
ることによりＴＶ電話接続が中断された場合でも、新たなグローバルＩＰアドレスに基づ
いてＴＶ電話接続を再開することが可能になる。なお、この死活監視手段が備えるルータ
の異常を自動的に検知する機能は、従来の技術を用いて実現することができる。また、死
活監視手段は、第３の実施形態におけるネットワークカメラ５２にも適用することができ
る。
【符号の説明】
【０１０２】
１…画像配信システム、２…中継サーバ、３…端末装置、４…ＬＡＮ、５…撮像装置、６
…情報処理端末、７…情報処理端末、８…ハブ、９…ルータ、１０…録画・課金サーバ、
Ｎ…通信ネットワーク
【図１】
0005566443.tif 000002
【図２】
0005566443.tif 000003
【図３】
0005566443.tif 000004
【図４】
0005566443.tif 000005
【図５】
0005566443.tif 000006
【図６】
0005566443.tif 000007
【図７】
0005566443.tif 000008
【図８】
0005566443.tif 000009
【図９】
0005566443.tif 000010
【図１０】
0005566443.tif 000011
【図１１】
0005566443.tif 000012